(57)【要約】【課題】リコーダーを使用中に演奏の為に口くわえたり、離したりする際に、受入部が膨らんでいる頭部管に接続するリコーダーを首から吊るすようにした携帯具に係合固定することにより、リコーダーを首から下げて簡単に携帯することを目的とする。【解決手段】吊り紐により首から吊るしたリング形状のリコーダー携帯具のリングの内側にリコーダーを挿入し、当該リコーダーの携帯具の内周面底部に段を設け、同内周面に爪を設けて、これを利用して膨らみのある頭部管の一部に係合固定する。【選択図】図１
2007003867.tif 000002
【特許請求の範囲】
【請求項１】
リング形状のリコーダー携帯具の外周の所定の箇所に当該リング形状より外側に突出する吊り紐固定部を形成し、且当該突出する吊り紐固定部と相対する箇所に同様の突出する吊り紐固定部を形成して、それぞれの吊り紐固定部に吊り紐の端部を固定したリコーダー携帯具において、
リコーダー携帯具の内周面の底部に内周に沿って、内周側に突出する段部を形成し、当該リング形状の外周に形成した吊り紐固定部が位置する内周面の一部にそれぞれ爪５を形成したリコーダー携帯具。
【請求項２】
請求項１に記載したリコーダー携帯具において
リコーダー携帯具の内周面を上方に大きく、下方に小さな円になるようなテーパーを形成するリコーダー携帯具。
【請求項３】
リング形状のリコーダー携帯具を上面壁と一体に、外周壁、内周壁を形成し、当該リング形状の所定の箇所に当該リングより外側に突出するように当該外周壁を形成して、当該突出した外周壁が囲むように吊り紐固定部を設け、且当該突出した外周壁と当該外周壁に囲まれた吊り紐固定部と相対する箇所に同様にリングより突出する外周壁と吊り紐固定部を形成したリコーダー携帯具において、
当該内周壁が、前記リングの軸線を通るような断面にした時、内周壁の肉厚が下方に徐々に増えるように、同時に内周面に緩やかなカーブを形成し、そして当該内周壁に単数の、又は複数のスリット形成するリコーダー携帯具。
【請求項４】
円の半周より長い円弧を形成する優弧のリコーダー管体支持体の当該円弧の先端を結ぶ線と当該円弧の直径とが平行になるような円弧の部位に吊り紐固定部を形成したリコーダー携帯具であって、
当該円の半周より長い円弧を形成している優弧のリコーダー管体支持体のそれぞれの先端に柱の下端部が一体になるように柱を形成するリコーダー携帯具。
【発明の詳細な説明】
【技術分野】
【０００１】
本発明は、リコーダーを首からつるして保持する携帯具に関するものである。
【背景技術】
【０００２】
リコーダーは学童が音楽を学ぶ時の教材として広く使用されている。教室で使用し、音楽会のステージの上で演奏し、運動会等で集団で使用することもある。
リコーダーは管体を主体として一方の端に歌口を形成して、他の端は筒のまま開口している。歌口側が太く、開口側が細くなっている。そして、図１６に示すように３つの管体に分かれており、歌口が開設している部分を頭部管Ａ、音孔が開設している部分を中部管Ｂ、小指の音孔が開設している部分を足部管Ｃと呼んでいる。それぞれの管は受入部、差込部によって接続して、リコーダーの管体を形成する。 頭部管の受入部は一般に膨らみＤを形成して接続部分を頑強にして形状にアクセントをつけている。この膨らみＤは、中部管との接続端面に近い部分に装飾用の小さな凸状帯Ｅを形成し、続いて小さな溝Ｆを、そして続いて膨らみＤを持つように構成している。
また図１７に示すように受入部に膨らみを形成しない単純な形状の頭部管Ａ'もあり、これに中部管Ｂ'を接続した時の外観は歌口側が太く、管端側が細くなるような単純なテーパーを形成する。学童が使用しているリコーダーにはこのように頭部管に膨らみＤが形成されているものと形成されていないものがあり、好みに合わせて使用している。
この楽器を例えば教室で実際に教材として使用する時には、机の上に置いて先生の指示にしたがって手に持って演奏する。その場合に、机の上に置いたり、手に持ったりを繰り返すことになる。音楽会のステージの上では、或は運動会では指揮者の指揮棒の動きに合わせて（指示にしたがって）、楽器の吹き口をくわえて（手に持って）演奏したり、口から離したりする。
このような時に、図１８、図１９に示すような簡単な携帯具Ｇにより楽器を首からつるして楽器を携帯できるなら、教室での音楽の勉強に、音楽会のステージに、そして運動会での演奏に大変便利である。
また、このような首から吊るすようにした携帯具であっても、首から吊るしたままリコーダーを吹く時は携帯具から離し、リコーダーを吹かない時は携帯具に装着できたら学童にとって前述のように便利である。
【０００３】
この携帯具Ｇは図１９で示したように、吊り紐Ｈで首から吊るし、吊り紐Ｈの一方の端を携帯具Ｇのリングの円周の一部に固定し、当該吊り紐Ｈの他の一方を当該円周に固定した相対する位置に固定したリング状のリコーダー携帯具として知られている（例えば、特許文献１参照）。なお、出願人は本明細書に記載した先行技術文献情報で特定される先行技術文献以外には、本発明に密接に関連する先行技術文献を出願時までに見付け出すことは出来なかった。
【特許文献１】米国特許第６６１６０２４号明細書
【０００４】
前記米国特許第６６１６０２４号明細書に記載され、且つ図面にＦＩＧ４、ＦＩＧ５、ＦＩＧ６に記載されているリコーダーを首から吊るす携帯具は、リング形状の円の中に、接続部分に膨らみがついていない単純なテーパーに形成されている頭部管Ａ'を差し込み、テーパーに形成している頭部管の外周がリングの内周に係合、固定して、当該頭部管に中部管を接続して、リコーダーを首から吊るすようにして携帯する。
【発明の開示】
【発明が解決しようとする課題】
【０００５】
しかし、図１６のような接続する際の受入部が膨らんでいる頭部管Ａに、このリング状の携帯具Ｇを係合しようとしても当該膨らみＤのために、単に係合することは出来るものの固定することは出来ないために、リコーダーを首から吊るしたまま演奏したり、携帯したりすると演奏の際には携帯具Ｇが指操作している指の上に落ちてしまい、指操作の邪魔になってしまう。
あるいは携帯具を首から吊るしたままリコーダーを当該携帯具から自由に着脱することは不可能である。
【課題を解決するための手段】
【０００６】
上記の欠点を解決するために、実施例の図面の符号を用いて本発明の概要を説明する。
請求項１に記載した発明は、リング形状のリコーダー携帯具１外周の所定の箇所に突出するように、吊り紐６を固定する為の吊り紐固定部２を形成し、且当該突出する吊り紐固定部２と相対する箇所に同様の突出する吊り紐固定部２を形成して、それぞれの吊り紐固定部２に吊り紐６の端部を固定したリコーダー携帯具１において、リコーダー携帯具１の内周面３の底部に内周に沿って、内周側に突出する段部４を形成し、当該リング形状の外周に形成した吊り紐固定部２が位置する内周面３の一部にそれぞれ爪５を形成したことを特徴とする、頭部管の膨らみＤを形成した受入部を有するリコーダーを首から吊って係合し、固定できるリコーダー携帯具を提供するものである。
請求項２に記載した発明は、請求項１に記載したようなリング形状の所定の個所に相対するように吊り紐固定部８を形成するようなリコーダー携帯具７において、当該携帯具７の内周面９を上方に大きく、下方に小さな円になるようなテーパーを形成することを特徴とするリコーダー携帯具を提供するものである。
請求項３に記載した発明は、リング形状のリコーダー携帯具１０を上面壁１２と一体に、外周壁１３、内周壁１４を形成し、当該リングのそれぞれ相対する位置に外側へ突出するように外周壁１３を形成して、当該突出した外周壁１３が囲むように吊り紐固定部１１を設けたリコーダー携帯具１０において、当該リング形状のリコーダー携帯具１０の内周壁１４が、前記リングの軸線を通るような断面にした時、内周壁１４の肉厚が下方に徐々に増えるように、同時に内周壁１５に緩やかなカーブを形成し、当該内周壁１４に下方から単数の、又は複数のスリット形成することを特徴とするリコーダー携帯具を提供するものである。
請求項４に記載した発明は円の半周よりも長い円弧とする形状を主としたものであり、円の半周より長い円弧を形成する優弧のリコーダー管体支持体１９の当該円弧の先端を結ぶ線と当該円弧の直径とが平行になるような円弧の部位に吊り紐固定部１８を形成したリコーダー携帯具であって、当該円の半周より長い円弧を形成する優弧のリコーダー管体支持体１９のそれぞれの先端に柱２０の下端部が一体になっている柱２０を形成することを特徴とするリコーダー携帯具１７を提供するものである。
【発明の効果】
【０００７】
以上説明したように、本発明のリコーダー携帯具は既製の受入部Ｄが膨らんでいる頭部管Ａに接続しているリコーダーであっても、請求項１に示した如く、当該携帯具１の内周面３の底部に段４を形成し、内周面３に爪５を形成しているので、当該爪５と受入部の膨らみＤの部分に形成している凸状帯Ｅとが簡単に係合固定したままリコーダーの演奏ができる。
そして、請求項２においては携帯具７の内周面９がテーパーに形成されているのでそのテーパーの作用によって、受入部が膨らんでいる頭部管Ａを係合、固定したまま演奏することができる。
請求項３においては内周壁１４の内周面１５に形成されるゆるやかなカーブと内周壁１４に形成される複数のスリット１６により受入部が膨らんでいる頭部管Ａを係合固定したままリコーダーの演奏ができる。
請求項４においては、リコーダー管体支持体１７が円の半周より長い円弧を形成する優弧とする形状を特長とするものであるから、円弧の先端から既製のリコーダーの中部管Ｂを出し入れし、円弧の中に中部管Ｂが包まれる際に、円弧状の管体支持体１９とその先端の柱２０、２０の作用によって係合でき、携帯具１７を首から吊るしたままで当該携帯具１７にリコーダーを簡単に装着、脱着することができる。
【０００８】
従って、本発明のリコーダー携帯具を使用して、リコーダーの演奏をする時は演奏中に指揮者に合わせて、音を出したり、音を止めたりしても首から吊るしたまま簡単に携帯できるので、音楽室で、ステージの上で、運動場でリコーダーの演奏をする時には大変有益である。さらに携帯具を首から吊るしたまま携帯具からリコーダーを脱着できるので、同様に有益である。
【発明を実施するための最良の形態】
【０００９】
本発明の実施例を図面をもとに説明をする。
【実施例１】
【００１０】
図１、図２、図３、図４、図５は本発明の第一実施例にかかるリコーダーを首から吊るす携帯具である。
図１は斜視図、図２は図１におけるＫ−Ｋの断面図である。図３は図１におけるＬ−Ｌの断面図、図４は既存の受入部に膨らみＤを形成している頭部管Ａを接続したリコーダーに本発明のリコーダー携帯具１を係合、固定したことを説明した当該携帯具１の断面図、図５は本発明のリコーダー携帯具の使用状態を説明した図である。
１は図１、図２、図３で分かるように本発明の携帯具を示したものであり、総じてリング形状になっている。２は当該携帯具１のリング外周の所定のところに吊り紐を固定するための吊り紐固定部、３は携帯具１のリング内周面、４は携帯具の内周面３の底部に内周に沿って形成した段、５は吊り紐固定部２が位置する内周面３の一部にそれぞれ形成した爪、６は首から吊るす吊り紐である。
【００１１】
本発明の第一実施例のリコーダー携帯具１は前述した如く、図１の斜視図、図２、図３の断面図にあるように、総じてリング形状になっており、図１、図２に説明するように携帯具１の外周には所定の箇所に吊り紐を固定するための吊り紐固定部２を相対する箇所に一対形成する。この吊り紐固定部２、２はリング形状の本体の高さｈと同等でも良いが、本体の高さｈよりも高くすることによって、吊り紐を固定した時に固定した結び目を当該固定部６の中に納めることができ、見た目にスマートである。
【００１２】
そして図１、図２、図３にあるように本発明の第一実施例にかかる携帯具１のリング内周面３の底部に内周に沿って段４を形成し、更にそれぞれの当該図より分かるように当該リングの外周に形成した吊り紐固定部２が位置する内周面３の一部にそれぞれ爪５を一対形成する。図４は本発明のリコーダー携帯具１を既製の受入部に膨らみＤを形成している頭部管Ａに係合した時の状態を説明したものである。当該携帯具１の内周面３に沿って、頭部管Ａの凸状帯Ｅが挿入し、当該凸状帯Ｅが段４に突き当たり、その時に、携帯具１の内周面３に突出して形成されている爪５は溝Ｆに係合し固定される。このようにして当該リコーダー携帯具１はリコーダーの頭部管Ａに固定される。またこの頭部管Ａに係合固定する爪５は携帯具１の外周に突出して形成されている吊り紐固定部２が位置するリング内周面３に突出するように形成されているので、当該吊り紐固定部２を手に当てて少々の力を加えるだけで、係合固定されている凸状帯Ｅを簡単に外すことが出来る。
【００１３】
図５は学童が音楽室で、ステージの上で、運動場で本発明のリコーダー携帯具１を使用して、リコーダーを携帯している状態を説明した者である。頭部管Ａに固定されたリコーダー携帯具１は当該頭部管Ａに中部管Ｂ、足部管Ｃを接続してリコーダーの演奏をした時に、指揮者の指示に合わせて、音を出さない時に簡単に携帯することができる。
【実施例２】
【００１４】
図６、図７、図８は第二実施例を説明したものである。図６は平面図、図７は図６におけるＭ−Ｍの断面図、図８は本発明の第二実施例の携帯具の係合固定した状態、使用状態を説明した図である。
７は本発明の第二実施例にかかるリコーダー携帯具、８は吊り紐固定部、９は内周面である。
当該第二実施例によるリコーダー携帯具７は内周面９が上方が大きく、下方が小さいテーパーに形成することを特徴とする。この内周面９に形成するテーパーは既製の膨らみＤを形成している受入部を有する頭部管Ａを携帯するため、内周面９下方の円の内径が受入部の膨らみＤ部分の最大外径よりも小さく形成する。そのことにより頭部管Ａは内周面９の途中で係合することになり、テーパーの作用によりわずかな力を加えることにより、頭部管Ａは携帯具７に固定することが出来る。
図８は既製のリコーダーの頭部管の受入部の膨らみＤが係合固定している状態を説明しているものであり、又使用状態を説明したものである。
【実施例３】
【００１５】
図９、図１０、図１１、図１２は本発明の第三実施例を説明したものである。図９は平面図、図１０は図９におけるＮ−Ｎの断面図、図１１は底面図である。
１０は本発明の第三実施例にかかるリコーダー携帯具、１１は吊り紐固定部、１２は上面壁、１３は外周壁、１４は内周壁、１５は内周面、１６はスリットである。
本発明の第三実施例のリコーダーの携帯具１０は前述したものと同様に全体が総じてリング形状をしており、上面壁１２と一体に外周壁１３、内周壁１４が形成される。内周壁１４の内周面１５は既製のリコーダーの頭部管Ａの受入部の膨らみＤを係合するのに、当該膨らみＤに合わせるように鍋底内周と同じような形状を形成する。従って、内周壁１４の肉厚は図１０のようなリングの軸線を通る断面図で示す時に、徐々に肉が厚くなり、内周面１５に緩やかなカーブを形成する。
そして、当該内周壁１４は下方から上方に向けて、複数個のスリット１６を形成する。又内周壁１４の肉厚を薄く形成することによりスリット１６を単数にすることもできる。このスリット１６により頭部管Ａの受入部の膨らみＤを弾力を持って係合し、固定することが出来る。
図１２は本発明の第三実施例のリコーダー携帯具の内周壁１４が既製の頭部管Ａの受入部の膨らみＤを係合し、固定している状態を説明しているものであり、使用状態を説明しているものである。
【実施例４】
【００１６】
図１３、図１４、図１５は第四実施例を説明したものである。図１３は斜視図、図１４は平面図、図１５は係合状態、使用状態を示したものである。
１７は本発明の第四実施例のリコーダー携帯具であり、全体が円の半周より長い円弧（優弧）になっていて、円弧の先端に柱を形成するような形状をしている。１８は吊り紐固定部であり、当該吊り紐固定部１８は円弧の先端を結ぶ線と円弧の直径とが平行になるような円弧状の部位に形成する。１９はリコーダーの管体支持体であり、円の半周より長い円弧を形成する優弧になっていて、前述の円弧の部位には吊り紐固定部１８が形成されている。２０は柱であり、当該円弧状のリコーダー管体支持体１９の、それぞれの先端に、当該柱２０の下端とが一体になるように形成する。
【００１７】
本発明の第四実施例のリコーダー携帯具１７は前述した如く、リコーダー管体支持体１９が形状が円の半周より長い優弧になっていて、当該支持体1９の先端に柱２０の下端が一体に形成している。
当該円弧の先端に形成されている柱２０、２０の間隔は既製の受入部に膨らみＤを形成している頭部管Ａに中部管Ｂを接続しているリコーダーの当該中部管Ｂを自由に入れたり、出したりすることができるように形成する。そして中部管Ｂがこの柱２０、２０を通過して、円の半周より長い円弧になっている管体支持体１９に囲まれるようになると、管体支持体１９は頭部管Ａの膨らみＤに係合してリコーダー全体を支持することができる。その時に、管体支持体１９の先端に形成されている柱２０は頭部管Ａの膨らみＤを係合するので、この第四実施例のリコーダー携帯具１７は確実にリコーダーを吊り下げることができる。
このように本発明の第四実施例は携帯具を首から吊るした状態でも簡単にリコーダーを装着、脱着ができる。
【産業上の利用可能性】
【００１８】
本発明はリコーダー以外の木管楽器の外形に膨らみを形成すれば、適用することができる。
【図面の簡単な説明】
【００１９】
【図１】本発明の第一実施例にかかるリコーダー携帯具
【図２】図１におけるＫ−Ｋの断面図
【図３】図１におけるＬ−Ｌの断面図
【図４】既製の膨らんでいる受入部の頭部管に係合固定したことを説明した本発明の断面図
【図５】本発明の第一実施例にかかる携帯具の使用状態を説明した正面図
【図６】本発明の第二実施例にかかるリコーダー携帯具の平面図
【図７】図６におけるＭ−Ｍの断面図
【図８】本発明の第二実施例にかかるリコーダー携帯具に既製の膨らんでいる受入部の頭部管に係合固定したことを説明、又使用状態を説明した断面図
【図９】本発明の第三実施例にかかるリコーダー携帯具の平面図
【図１０】図９におけるＮ−Ｎの断面図
【図１１】本発明の第三実施例にかかるリコーダー携帯具の底面図
【図１２】本発明の第三実施例にかかるリコーダー携帯具に既製の膨らんでいる受入部の頭部管に係合固定したことを説明した本発明の断面図
【図１３】本発明の第四実施例にかかるリコーダー携帯具の斜視図
【図１４】本発明の第四実施例にかかるリコーダー携帯具の平面図
【図１５】本発明の第四実施例の携帯具に既製のリコーダーを係合している状態を説明正面図
【図１６】既製の受入部が膨らんでいる頭部管が接続しているリコーダーの正面図
【図１７】既製の受入部が膨らんでいない頭部管が接続しているリコーダーの正面図
【図１８】従来のリコーダー携帯具の使用状態を説明した正面図
【図１９】従来のリコーダー携帯具の斜視図
【符号の説明】
【００２０】
１      本発明の第一実施例にかかるリコーダー携帯具 
２      吊り紐固定部 
３      本発明の第一実施例にかかる携帯具の内周面 
４      段 
５      爪 
６      吊り紐 
７      本発明の第二実施例にかかるリコーダー携帯具
８      吊り紐固定部
９      内周面
１０      本発明の第三実施例にかかるリコーダー携帯具
１１      吊り紐固定部
１２      上面壁
１３      外周壁
１４      内周壁
１５      内周面
１６      スリット
１７      本発明の第四実施例にかかるリコーダー携帯具
１８      吊り紐固定部
１９      リコーダー管体支持体
２０      柱
ｈ      本発明のリコーダー携帯具の本体の高さ
Ａ      頭部管 
Ａ'     頭部管
Ｂ     中部管
Ｂ'    中部管
Ｃ     足部管
Ｄ     膨らみ
Ｅ     凸状帯 
Ｆ     溝 
【図１】
2007003867.tif 000003
【図２】
2007003867.tif 000004
【図３】
2007003867.tif 000005
【図４】
2007003867.tif 000006
【図５】
2007003867.tif 000007
【図６】
2007003867.tif 000008
【図７】
2007003867.tif 000009
【図８】
2007003867.tif 000010
【図９】
2007003867.tif 000011
【図１０】
2007003867.tif 000012
【図１１】
2007003867.tif 000013
【図１２】
2007003867.tif 000014
【図１３】
2007003867.tif 000015
【図１４】
2007003867.tif 000016
【図１５】
2007003867.tif 000017
【図１６】
2007003867.tif 000018
【図１７】
2007003867.tif 000019
【図１８】
2007003867.tif 000020
【図１９】
2007003867.tif 000021